(57)【要約】【課題】短時間の簡単な操作により、プロセッサに選択接続されている周辺機器に応じて、周辺機器が実画像を出力するための画像出力用パラメータを最適設定することができる電子内視鏡システム及びその使用条件設定方法を得る。【解決手段】複数の周辺機器はそれぞれ、自身の識別情報を送信する無線送信部を備えている。電子内視鏡は、無線送信部が送信した周辺機器の識別情報を受信する無線受信部を備えている。プロセッサは、電子内視鏡の無線受信部が受信した周辺機器の識別情報に応じて、接続された周辺機器に対して、プロセッサからの撮影画像に基づいてその実画像を出力するための画像出力用パラメータを設定する。【選択図】図１
2015037477.tif 000002
【特許請求の範囲】
【請求項１】
観察対象物の画像信号を出力する電子内視鏡と、
前記電子内視鏡からの画像信号に画像処理を施して撮影画像を出力するプロセッサと、
前記プロセッサに対して選択接続可能で、該プロセッサからの撮影画像に基づいてその実画像を出力する複数の周辺機器と、
を備える電子内視鏡システムにおいて、
前記複数の周辺機器はそれぞれ、該周辺機器の識別情報を送信する無線送信部を備えており、
前記電子内視鏡は、前記無線送信部が送信した前記周辺機器の識別情報を受信する無線受信部を備えており、
前記プロセッサは、前記電子内視鏡の前記無線受信部が受信した前記周辺機器の識別情報に応じて、接続された周辺機器に対して、該プロセッサからの撮影画像に基づいてその実画像を出力するための画像出力用パラメータを設定する、
ことを特徴とする電子内視鏡システム。
【請求項２】
請求項１記載の電子内視鏡システムにおいて、
前記電子内視鏡は、前記複数の周辺機器のそれぞれについて前記識別情報と前記画像出力用パラメータとを対応付けて記憶したパラメータ記憶部を備えており、
前記電子内視鏡は、前記無線受信部が受信した識別情報に対応する画像出力用パラメータを前記パラメータ記憶部から抽出してこれを前記プロセッサに伝送し、前記プロセッサは、前記電子内視鏡から伝送された画像出力用パラメータを選択接続された周辺機器に対して設定する電子内視鏡システム。
【請求項３】
請求項１記載の電子内視鏡システムにおいて、
前記プロセッサは、前記複数の周辺機器のそれぞれについて前記識別情報と前記画像出力用パラメータとを対応付けて記憶したパラメータ記憶部を備えており、
前記電子内視鏡は、前記無線受信部が受信した識別情報を前記プロセッサに伝送し、前記プロセッサは、前記電子内視鏡から伝送された識別情報に対応する画像出力用パラメータを前記パラメータ記憶部から抽出してこれを選択接続された周辺機器に対して設定する電子内視鏡システム。
【請求項４】
請求項１ないし３のいずれか１項記載の電子内視鏡システムにおいて、
前記画像出力用パラメータは、前記プロセッサからの撮影画像に基づいてその実画像を出力する際の色味とコントラストを含んでいる電子内視鏡システム。
【請求項５】
請求項１ないし４のいずれか１項記載の電子内視鏡システムにおいて、
前記複数の周辺機器は、異なる機能を持つ複数の周辺機器、及び、同一機能で異なる機種の複数の周辺機器の少なくとも一方を含んでいる電子内視鏡システム。
【請求項６】
請求項１ないし５のいずれか１項記載の電子内視鏡システムにおいて、
前記複数の周辺機器は、前記実画像を印刷するプリンタ、前記実画像を表示するモニタ及び前記実画像を保存してこれを出力するメモリのうちの少なくとも１つを含んでいる電子内視鏡システム。
【請求項７】
請求項１ないし６のいずれか１項記載の電子内視鏡システムにおいて、
前記周辺機器の前記無線送信部はＲＦＩＤ送信機からなり、前記電子内視鏡の前記無線受信部はＲＦＩＤ受信機からなる電子内視鏡システム。
【請求項８】
観察対象物の画像信号を出力する電子内視鏡と、
前記電子内視鏡からの画像信号に画像処理を施して撮影画像を出力するプロセッサと、
前記プロセッサに対して選択接続可能で、該プロセッサからの撮影画像に基づいてその実画像を出力する複数の周辺機器と、
を備える電子内視鏡システムの使用条件設定方法において、
前記プロセッサに選択接続された周辺機器が、自身の識別情報を無線送信するステップと、
前記電子内視鏡が、前記プロセッサに選択接続された周辺機器が送信した識別情報を無線受信するステップと、
前記内視鏡を前記プロセッサに接続するステップと、
前記プロセッサが、前記電子内視鏡が無線受信した識別情報に応じて、選択接続された周辺機器に対して、該プロセッサからの撮影画像に基づいてその実画像を出力するための画像出力用パラメータを設定するステップと、
を有することを特徴とする電子内視鏡システムの使用条件設定方法。
【請求項９】
請求項８記載の電子内視鏡システムの使用条件設定方法において、
前記電子内視鏡は、前記複数の周辺機器のそれぞれについて前記識別情報と前記画像出力用パラメータとを対応付けて記憶したパラメータ記憶部を備えており、
前記設定するステップでは、前記電子内視鏡が、無線受信した識別情報に対応する画像出力用パラメータを前記パラメータ記憶部から抽出してこれを前記プロセッサに伝送し、前記プロセッサが、前記電子内視鏡から伝送された画像出力用パラメータを選択接続された周辺機器に対して設定する電子内視鏡システムの使用条件設定方法。
【請求項１０】
請求項８記載の電子内視鏡システムの使用条件設定方法において、
前記プロセッサは、前記複数の周辺機器のそれぞれについて前記識別情報と前記画像出力用パラメータとを対応付けて記憶したパラメータ記憶部を備えており、
前記設定するステップでは、前記電子内視鏡が、無線受信した識別情報を前記プロセッサに伝送し、前記プロセッサが、前記電子内視鏡から伝送された識別情報に対応する画像出力用パラメータを前記パラメータ記憶部から抽出してこれを選択接続された周辺機器に対して設定する電子内視鏡システムの使用条件設定方法。
【発明の詳細な説明】
【技術分野】
【０００１】
本発明は、電子内視鏡システム及びその使用条件設定方法に関する。
【背景技術】
【０００２】
電子内視鏡システムは、その基本的な構成として、観察対象物（例えば患者体内の病変部）の画像信号（ＲＧＢ信号）を出力する電子内視鏡と、この電子内視鏡からの画像信号に画像処理を施して撮影画像（ビデオ信号）を出力するプロセッサと、このプロセッサからの撮影画像に基づいてその実画像を出力する複数の周辺機器とを備えている。
【０００３】
複数の周辺機器は、異なる機能を持つ複数の周辺機器（例えば実画像を印刷するプリンタと実画像を表示するモニタ）、同一機能で異なる機種の複数の周辺機器（例えばある製造会社のプリンタまたはモニタと別の製造会社のプリンタまたはモニタ）を含んでおり、それぞれがプロセッサに対して選択接続可能となっている。
【０００４】
複数の周辺機器はそれぞれが画像出力上の独特の特徴（傾向、癖）を持っているので、たとえプロセッサが選択接続された各周辺機器に同一の撮影画像を出力したとしても、各周辺機器が出力する実画像はその色味やコントラストが微妙に違ってくる。つまり、プロセッサに選択接続される周辺機器によって、該周辺機器が実画像を出力するために好適とされる画像出力用パラメータ（例えば実画像の色味やコントラスト）が異なるのである。
【０００５】
このため、従来の電子内視鏡システムでは、電子内視鏡とプロセッサにそれぞれ画像出力用パラメータを記憶した不揮発性メモリを搭載し、電子内視鏡とプロセッサの通信接続状態で、ユーザがプロセッサの操作部（例えばタッチパネル）を手動操作することにより、プロセッサに選択接続されている周辺機器の識別情報を入力し、その入力に応じた画像出力用パラメータを設定している。
【先行技術文献】
【特許文献】
【０００６】
【特許文献１】特開２００２−２４８０７４号公報
【特許文献２】特開２００９−２０１９３６号公報
【発明の概要】
【発明が解決しようとする課題】
【０００７】
しかし、上記従来の電子内視鏡システムは、電子内視鏡とプロセッサの通信接続状態でしか、画像出力用パラメータを設定するための動作を行うことができず、しかもその設定動作は、電子内視鏡をプロセッサに接続する度に、ユーザがプロセッサの操作部を手動操作することで、プロセッサに選択接続されている周辺機器の識別情報を入力するという煩雑かつ長時間を要するものである。
【０００８】
本発明は、以上の問題意識に基づいてなされたものであり、短時間の簡単な操作により、プロセッサに選択接続されている周辺機器に応じて、周辺機器が実画像を出力するための画像出力用パラメータを最適設定することができる電子内視鏡システム及びその使用条件設定方法を得ることを目的とする。
【課題を解決するための手段】
【０００９】
本発明の電子内視鏡システムは、観察対象物の画像信号を出力する電子内視鏡と、前記電子内視鏡からの画像信号に画像処理を施して撮影画像を出力するプロセッサと、前記プロセッサに対して選択接続可能で、該プロセッサからの撮影画像に基づいてその実画像を出力する複数の周辺機器と、を備える電子内視鏡システムにおいて、前記複数の周辺機器はそれぞれ、該周辺機器の識別情報を送信する無線送信部を備えており、前記電子内視鏡は、前記無線送信部が送信した前記周辺機器の識別情報を受信する無線受信部を備えており、前記プロセッサは、前記電子内視鏡の前記無線受信部が受信した前記周辺機器の識別情報に応じて、接続された周辺機器に対して、該プロセッサからの撮影画像に基づいてその実画像を出力するための画像出力用パラメータを設定する、ことを特徴としている。
【００１０】
前記電子内視鏡は、前記複数の周辺機器のそれぞれについて前記識別情報と前記画像出力用パラメータとを対応付けて記憶したパラメータ記憶部を備えており、前記電子内視鏡は、前記無線受信部が受信した識別情報に対応する画像出力用パラメータを前記パラメータ記憶部から抽出してこれを前記プロセッサに伝送し、前記プロセッサは、前記電子内視鏡から伝送された画像出力用パラメータを選択接続された周辺機器に対して設定することができる。
【００１１】
前記プロセッサは、前記複数の周辺機器のそれぞれについて前記識別情報と前記画像出力用パラメータとを対応付けて記憶したパラメータ記憶部を備えており、前記電子内視鏡は、前記無線受信部が受信した識別情報を前記プロセッサに伝送し、前記プロセッサは、前記電子内視鏡から伝送された識別情報に対応する画像出力用パラメータを前記パラメータ記憶部から抽出してこれを選択接続された周辺機器に対して設定することができる。
【００１２】
前記画像出力用パラメータは、前記プロセッサからの撮影画像に基づいてその実画像を出力する際の色味とコントラストを含むことができる。
【００１３】
前記複数の周辺機器は、異なる機能を持つ複数の周辺機器、及び、同一機能で異なる機種の複数の周辺機器の少なくとも一方を含むことができる。
【００１４】
前記複数の周辺機器は、前記実画像を印刷するプリンタ、前記実画像を表示するモニタ及び前記実画像を保存してこれを出力するメモリのうちの少なくとも１つを含むことができる。
【００１５】
前記周辺機器の前記無線送信部をＲＦＩＤ送信機から構成し、前記電子内視鏡の前記無線受信部をＲＦＩＤ受信機から構成することができる。
【００１６】
本発明の電子内視鏡システムの使用条件設定方法は、観察対象物の画像信号を出力する電子内視鏡と、前記電子内視鏡からの画像信号に画像処理を施して撮影画像を出力するプロセッサと、前記プロセッサに対して選択接続可能で、該プロセッサからの撮影画像に基づいてその実画像を出力する複数の周辺機器と、を備える電子内視鏡システムの使用条件設定方法において、前記プロセッサに選択接続された周辺機器が、自身の識別情報を無線送信するステップと、前記電子内視鏡が、前記プロセッサに選択接続された周辺機器が送信した識別情報を無線受信するステップと、前記内視鏡を前記プロセッサに接続するステップと、前記プロセッサが、前記電子内視鏡が無線受信した識別情報に応じて、選択接続された周辺機器に対して、該プロセッサからの撮影画像に基づいてその実画像を出力するための画像出力用パラメータを設定するステップと、を有することを特徴としている。
【００１７】
前記電子内視鏡は、前記複数の周辺機器のそれぞれについて前記識別情報と前記画像出力用パラメータとを対応付けて記憶したパラメータ記憶部を備えており、前記設定するステップでは、前記電子内視鏡が、無線受信した識別情報に対応する画像出力用パラメータを前記パラメータ記憶部から抽出してこれを前記プロセッサに伝送し、前記プロセッサが、前記電子内視鏡から伝送された画像出力用パラメータを選択接続された周辺機器に対して設定することができる。
【００１８】
前記プロセッサは、前記複数の周辺機器のそれぞれについて前記識別情報と前記画像出力用パラメータとを対応付けて記憶したパラメータ記憶部を備えており、前記設定するステップでは、前記電子内視鏡が、無線受信した識別情報を前記プロセッサに伝送し、前記プロセッサが、前記電子内視鏡から伝送された識別情報に対応する画像出力用パラメータを前記パラメータ記憶部から抽出してこれを選択接続された周辺機器に対して設定することができる。
【発明の効果】
【００１９】
本発明によれば、短時間の簡単な操作により、プロセッサに選択接続されている周辺機器に応じて、周辺機器が実画像を出力するための画像出力用パラメータを最適設定することができる電子内視鏡システム及びその使用条件設定方法が得られる。
【図面の簡単な説明】
【００２０】
【図１】本発明の第１実施形態に係る電子内視鏡システムの構成を示す機能ブロック図である。
【図２】電子内視鏡の全体構成を示す図である。
【図３】パラメータ記憶部が記憶した画像出力用パラメータを示す図である。
【図４】本発明の第１実施形態に係る電子内視鏡システムの使用条件設定方法において、電子内視鏡がプリンタとモニタの識別情報を収集する処理を示すフローチャートである。
【図５】本発明の第１実施形態に係る電子内視鏡システムの使用条件設定方法において、プロセッサがプリンタとモニタに対して画像出力用パラメータを設定する処理及びその後の撮影処理、並びにその後のプリンタとモニタによる実画像の出力処理を示すフローチャートである。
【図６】本発明の第２実施形態に係る電子内視鏡システムの構成を示す機能ブロック図である。
【図７】本発明の第２実施形態に係る電子内視鏡システムの使用条件設定方法を示す図５に対応するフローチャートである。
【発明を実施するための形態】
【００２１】
（第１実施形態）
図１〜図５を参照して、本発明の第１実施形態に係る電子内視鏡システム１０について説明する。
【００２２】
図１に示すように、電子内視鏡システム１０は、観察対象物（例えば患者体内の病変部）の画像信号（ＲＧＢ信号）を出力する電子内視鏡１００と、この電子内視鏡１００からの画像信号に画像処理を施して撮影画像（ビデオ信号）を出力するプロセッサ２００と、このプロセッサ２００からの撮影画像に基づいてその実画像を印刷（出力）するプリンタ（周辺機器）３００と、プロセッサ２００からの撮影画像に基づいてその実画像を表示（出力）するモニタ（周辺機器）４００とを備えている。
【００２３】
図１を参照して、プリンタ３００とモニタ４００の構成について説明する。
【００２４】
プリンタ３００とモニタ４００は、異なる機能（印刷と表示）を持つ「複数の周辺機器」に該当し、プロセッサ２００に対して選択接続可能となっている。つまり、プリンタ３００とモニタ４００の双方をプロセッサ２００に接続する態様、プリンタ３００のみをプロセッサ２００に接続する態様、モニタ４００のみをプロセッサに接続する態様が可能である。
【００２５】
プリンタ３００は、異なる機種の複数のプリンタ群のうちのいずれか１つを選択してプロセッサ２００に対して接続可能となっている。本実施形態では、異なる機種の複数のプリンタ群として、Ａ社製のプリンタ、Ｂ社製のプリンタ、Ｃ社製のプリンタを例示しており、これらのプリンタ群が「複数の周辺機器」に該当する。
【００２６】
プリンタ３００は、自身の識別情報（Ａ社製のプリンタ、Ｂ社製のプリンタ、Ｃ社製のプリンタ）を近距離無線送信するＲＦＩＤ送信機（無線送信部）３１０を備えている。またプリンタ３００は、プロセッサ２００からの撮影画像に基づいてその実画像を印刷する印刷部３２０を備えている。
【００２７】
モニタ４００は、異なる機種の複数のモニタ群のうちのいずれか１つを選択してプロセッサ２００に対して接続可能となっている。本実施形態では、異なる機種の複数のモニタ群として、Ｘ社製のモニタ、Ｙ社製のモニタ、Ｚ社製のモニタを例示しており、これらのモニタ群が「複数の周辺機器」に該当する。
【００２８】
モニタ４００は、自身の識別情報（Ｘ社製のモニタ、Ｙ社製のモニタ、Ｚ社製のモニタ）を近距離無線送信するＲＦＩＤ送信機（無線送信部）４１０を備えている。またモニタ４００は、プロセッサ２００からの撮影画像に基づいてその実画像を表示する表示部４２０を備えている。
【００２９】
図１、図２を参照して、電子内視鏡１００とプロセッサ２００の構成について説明する。
【００３０】
図２に示すように、電子内視鏡１００は、操作者が把持する把持操作部１０１と、この把持操作部１０１から延出する可撓性のある挿入部１０２とを有している。挿入部１０２は、先端側から順に、先端硬性部１０３と、湾曲部１０４と、可撓部１０５とを有している。湾曲部１０４は、把持操作部１０１に設けた湾曲操作レバー１０６の回転操作に応じて湾曲可能となっている。
【００３１】
把持操作部１０１からはユニバーサルチューブ１０７が延出されており、このユニバーサルチューブ１０７の先端にはコネクタ部１０８が設けられている。図示していないが、電子内視鏡１００にはライトガイドファイバが内蔵されており、このライトガイドファイバは、挿入部１０２（先端硬性部１０３、湾曲部１０４、可撓部１０５）、把持操作部１０１、ユニバーサルチューブ１０７、コネクタ部１０８から突出するライトガイドスリーブ１０９内まで延びている。コネクタ部１０８のコネクタ端子１０８ａがプロセッサ２００のコネクタ端子２００ａ（図１）に接続されると、このライトガイドファイバは、プロセッサ２００に内蔵された光源ランプ２３０（図１）と光学的に接続される。そして、この光源ランプ２３０から発せられた照明光は、ライトガイドファイバ内を導かれ、挿入部１０２の先端硬性部１０３の前端面に設けられた照明レンズ（図示せず）によって所定の配光で外方に出射される。
【００３２】
図１に示すように、電子内視鏡１００は、観察対象物の画像信号を取得する撮像素子（ＣＣＤ）１１０と、この撮像素子１１０を駆動する駆動回路１１１とを備えている。撮像素子１１０と駆動回路１１１は、電子内視鏡１００の先端硬性部１０３の内部に設けられている。撮像素子１１０が取得した観察対象物の画像信号は信号ケーブル（図示せず）を介してプロセッサ２００に出力される。
【００３３】
電子内視鏡１００は、ＲＦＩＤ受信機（無線受信部）１２０を備えている。このＲＦＩＤ受信機１２０は、電子内視鏡１００への通電を断った電源オフ状態でも通信が可能なパッシブタグ（受動タグ）からなる。ＲＦＩＤ受信機１２０は、プリンタ３００のＲＦＩＤ送信機３１０が近距離無線送信した識別情報（Ａ社製のプリンタ、Ｂ社製のプリンタ、Ｃ社製のプリンタ）を近距離無線受信する。ＲＦＩＤ受信機１２０は、モニタ４００のＲＦＩＤ送信機４１０が近距離無線送信した識別情報（Ｘ社製のモニタ、Ｙ社製のモニタ、Ｚ社製のモニタ）を近距離無線受信する。
【００３４】
電子内視鏡１００は、パラメータ記憶部１３０を備えている。このパラメータ記憶部１３０は、プロセッサ２００に選択接続される可能性のあるプリンタ（Ａ社製のプリンタ、Ｂ社製のプリンタ、Ｃ社製のプリンタ）及びモニタ（Ｘ社製のモニタ、Ｙ社製のモニタ、Ｚ社製のモニタ）のそれぞれについて、その識別情報と画像出力用パラメータとを対応付けて記憶している。画像出力用パラメータは、プロセッサ２００からの撮影画像に基づいてその実画像を出力する際の色味（ＹＭＣ）とコントラストを含んでいる。
【００３５】
図３は、パラメータ記憶部が記憶した画像出力用パラメータを示している。「パラメータ１」は、Ａ社製のプリンタが実画像を印刷するために最適とされる画像出力用パラメータを示している。「パラメータ２」は、Ｂ社製のプリンタが実画像を印刷するために最適とされる画像出力用パラメータを示している。「パラメータ３」は、Ｃ社製のプリンタが実画像を印刷するために最適とされる画像出力用パラメータを示している。「パラメータ４」は、Ｘ社製のモニタが実画像を表示するために最適とされる画像出力パラメータを示している。「パラメータ５」は、Ｙ社製のモニタが実画像を表示するために最適とされる画像出力パラメータを示している。「パラメータ６」は、Ｚ社製のモニタが実画像を表示するために最適とされる画像出力パラメータを示している。「パラメータ１」〜「パラメータ６」を具体的にどのような値に設定するかについては自由度があり、例えば、印刷もしくは表示した実画像を定量評価した結果に基づいてデフォルト設定する態様、またはユーザ（例えば医師）の趣向に基づいてマニュアル設定する態様が可能である。
【００３６】
ここで、電子内視鏡１００もプロセッサ２００に対して選択接続可能となっている（異なる機能を持つ電子内視鏡や同一機能で異なる機種の電子内視鏡のうちのいずれか１つを選択的してプロセッサ２００に接続可能になっている）。そして、プロセッサ２００に選択接続される可能性のある複数の電子内視鏡のそれぞれが、プリンタ３００やモニタ４００と同じように、画像出力上の独特の特徴（傾向、癖）を持っている。このため、パラメータ記憶部１３０が記憶する画像出力用パラメータは、自身が搭載される電子内視鏡１００の独特の特徴（傾向、癖）を踏まえて設定することが好ましい。すなわち、プロセッサ２００に選択接続される可能性のある複数の電子内視鏡は、それぞれオリジナルの画像出力用パラメータを記憶したパラメータ記憶部を備えることになる。
【００３７】
電子内視鏡１００は、パラメータ抽出部１４０を備えている。このパラメータ抽出部１４０は、ＲＦＩＤ受信機１２０が近距離無線受信したプリンタ３００とモニタ４００の識別情報に対応する画像出力用パラメータをパラメータ記憶部１３０から抽出する。例えば、パラメータ抽出部１４０は、ＲＦＩＤ受信機１２０が、プリンタ３００がＡ社製でありモニタ４００がＹ社製である旨の識別情報を近距離無線受信したときは、パラメータ記憶部１３０から「パラメータ１」と「パラメータ５」の画像出力用パラメータを抽出する（図３）。パラメータ抽出部１４０が抽出した画像出力用パラメータは、電子内視鏡１００がプロセッサ２００に接続されている状態で、電子内視鏡１００からプロセッサ２００に伝送される。
【００３８】
図１に示すように、プロセッサ２００は、プロセッサ２００の全構成要素の駆動電力源であるシステム電源２１０と、このシステム電源２１０の駆動電力をランプ系統に供給するランプ電源２２０と、このランプ電源２２０から供給された駆動電力によって照明光を発する光源ランプ２３０とを備えている。光源ランプ２３０は、ハロゲンランプ、キセノンランプまたはＬＥＤ等からなる。またプロセッサ２００は、システム電源２１０の駆動電力を患者データ管理系統に供給する患者電源２４０と、この患者電源２４０から供給された駆動電力によって患者データを管理する患者回路２５０とを備えている。
【００３９】
プロセッサ２００は、パラメータ設定部２６０を備えている。このパラメータ設定部２６０は、プロセッサ２００に接続されたプリンタ３００とモニタ４００に対して、パラメータ抽出部１４０が抽出して電子内視鏡１００から伝送されてきた画像出力用パラメータを設定する。例えば、パラメータ設定部２６０は、電子内視鏡１００から「パラメータ１」と「パラメータ５」の画像出力用パラメータが伝送されてきたときは、プリンタ３００に対して「パラメータ１」の画像出力用パラメータを設定し、モニタ４００に対して「パラメータ５」の画像出力用パラメータを設定する。
【００４０】
プロセッサ２００は、電子内視鏡１００からの画像信号に画像処理を施して撮影画像とする画像処理部２７０を備えている。画像処理部２７０による撮影画像は、プリンタ３００とモニタ４００にそれぞれ出力される。プリンタ３００とモニタ４００は、パラメータ設定部２６０が設定した画像出力用パラメータに従って、プロセッサ２００の画像処理部２７０による撮影画像に基づいてその実画像を出力（印刷、表示）する。
【００４１】
続いて、図４、図５のフローチャートを参照して、本実施形態の電子内視鏡システム１０の使用条件設定方法について説明する。
【００４２】
図４は、電子内視鏡１００がプリンタ３００とモニタ４００の識別情報を収集する処理を示している。
【００４３】
まず、電子内視鏡１００のプロセッサ２００への非接続状態かつ電子内視鏡１００への通電を断った電源オフ状態で、電子内視鏡１００のＲＦＩＤ受信機１２０をプリンタ３００のＲＦＩＤ送信機３１０またはモニタ４００のＲＦＩＤ送信機４１０に近づけると、ＲＦＩＤ受信機１２０およびＲＦＩＤ送信機３１０またはＲＦＩＤ送信機４１０（ＲＦＩＤ通信機）が起動する（ステップＳ１：ＹＥＳ）。
【００４４】
次いで、電子内視鏡１００のＲＦＩＤ受信機１２０が、プリンタ３００のＲＦＩＤ送信機３１０またはモニタ４００のＲＦＩＤ送信機４１０から、プリンタ３００とモニタ４００の識別情報の収集を開始する（ステップＳ２）。
【００４５】
すなわち、電子内視鏡１００のＲＦＩＤ受信機１２０をプリンタ３００のＲＦＩＤ送信機３１０に近付けたときには（ステップＳ３：ＹＥＳ）、ＲＦＩＤ送信機３１０からＲＦＩＤ受信機１２０へプリンタ３００の識別情報が近距離無線送信される（ステップＳ４）。その後、電子内視鏡１００のＲＦＩＤ受信機１２０をプリンタ３００のＲＦＩＤ送信機３１０から離すと、ＲＦＩＤ送信機３１０とＲＦＩＤ受信機１２０のＲＦＩＤ通信（近距離無線通信）が停止する（ステップＳ７：ＹＥＳ）。
【００４６】
また、電子内視鏡１００のＲＦＩＤ受信機１２０をモニタ４００のＲＦＩＤ送信機４１０に近付けたときには（ステップＳ３：ＮＯ、ステップＳ５：ＹＥＳ）、ＲＦＩＤ送信機４１０からＲＦＩＤ受信機１２０へモニタ４００の識別情報が近距離無線送信される（ステップＳ６）。その後、電子内視鏡１００のＲＦＩＤ受信機１２０をモニタ４００のＲＦＩＤ送信機４１０から離すと、ＲＦＩＤ送信機４１０とＲＦＩＤ受信機１２０のＲＦＩＤ通信（近距離無線通信）が停止する（ステップＳ７：ＹＥＳ）。
【００４７】
このようにして、電子内視鏡１００がプリンタ３００とモニタ４００の識別情報を収集する。そして電子内視鏡１００のパラメータ抽出部１４０が、収集したプリンタ３００とモニタ４００の識別情報に対応する画像出力用パラメータをパラメータ記憶部１３０から抽出する。
【００４８】
図５は、プロセッサ２００がプリンタ３００とモニタ４００に対して画像出力用パラメータを設定する処理及びその後の撮影処理、並びにその後のプリンタ３００とモニタ４００による実画像の出力処理を示している。
【００４９】
プロセッサ２００に電子内視鏡１００が接続されて両者が電源オン状態になると、プロセッサ２００は内部回路のイニシャライズ処理を実行する（ステップＳ１１）。
【００５０】
次いで、電子内視鏡１００からプロセッサ２００に、パラメータ抽出部１４０が収集したプリンタ３００とモニタ４００の識別情報に対応する画像出力用パラメータが伝送される（ステップＳ１２）。
【００５１】
次いで、プロセッサ２００のパラメータ設定部２６０が、プリンタ３００とモニタ４００に対して、電子内視鏡１００から伝送されてきた画像出力用パラメータを設定する。より具体的に、パラメータ設定部２６０は、電子内視鏡１００から伝送されてきた画像出力用パラメータが、内蔵データと同じか否か、すなわちプリンタ３００とモニタ４００に現在設定されている画像出力用パラメータと同じか否かを判定する（ステップＳ１３）。両パラメータが同じであると判定されたときは（ステップＳ１３：ＹＥＳ）、前回使用時のプリンタ３００またはモニタ４００から変更がないことを意味しているので、画像出力用パラメータの置換（更新）を行わない（ステップＳ１４）。一方、両パラメータが同じでないと判定されたときは（ステップＳ１３：ＮＯ）、前回使用時のプリンタ３００またはモニタ４００から変更があることを意味しているので、画像出力用パラメータの置換（更新）を行う（ステップＳ１５）。
【００５２】
次いで、電子内視鏡１００により観察対象物（例えば患者体内の病変部）を撮影する（ステップＳ１６）。すなわち、光源ランプ２３０が発した照明光をライトガイドファイバと照明レンズ（ともに図示せず）を介して観察対象物に照射し、観察対象物からの反射光を画像信号として撮像素子１１０が取得する。撮像素子１１０が取得した観察対象物の画像信号は信号ケーブル（図示せず）を介してプロセッサ２００に出力される。プロセッサ２００は、画像処理部２７０によって電子内視鏡１００からの画像信号に画像処理を施して撮影画像とし、この撮影画像をプリンタ３００とモニタ４００にそれぞれ出力する。
【００５３】
そして、プリンタ３００とモニタ４００は、パラメータ設定部２６０が設定した画像出力用パラメータ（ステップＳ１３、Ｓ１４、Ｓ１５）に従って、プロセッサ２００から出力されてきた撮影画像に基づいてその実画像を出力（印刷、表示）する（ステップＳ１７）。
【００５４】
（第２実施形態）
図６、図７を参照して、本発明の第２実施形態に係る電子内視鏡システム１０’について説明する。同一の構成要素には同一の符号を付してその説明を省略する。
【００５５】
図６に示すように、本実施形態に係る電子内視鏡システム１０’は、図１に示す第１実施形態に係る電子内視鏡システム１０において、電子内視鏡１００からパラメータ記憶部１３０とパラメータ抽出部１４０を省略して、その代わりに、プロセッサ２００にパラメータ記憶部２８０とパラメータ抽出部２９０を設けた構成となっている。電子内視鏡１００は、プリンタ３００とモニタ４００から収集した識別情報をそのままプロセッサ２００に伝送する。
【００５６】
パラメータ記憶部２８０が記憶する画像出力用パラメータの基本構成は、パラメータ記憶部１３０が記憶する画像出力用パラメータの基本構成（図３）と同じである。但し、パラメータ記憶部２８０は、プロセッサ２００に選択接続される可能性のある複数の電子内視鏡の独特の特徴（傾向、癖）を踏まえて、各電子内視鏡に対して別々のオリジナルの画像出力用パラメータを記憶していることが好ましい。
【００５７】
パラメータ抽出部２９０は、電子内視鏡１００から伝送されてきたプリンタ３００とモニタ４００の識別情報に対応する画像出力用パラメータをパラメータ記憶部２８０から抽出する。例えば、パラメータ抽出部２９０は、電子内視鏡１００から伝送されてきた識別情報が、プリンタ３００がＢ社製でありモニタ４００がＺ社製である旨を示しているときは、パラメータ記憶部２８０から「パラメータ２」と「パラメータ６」の画像出力用パラメータを抽出する（図３）。パラメータ設定部２６０は、プロセッサ２００に接続されたプリンタ３００とモニタ４００に対して、パラメータ抽出部２９０が抽出した画像出力用パラメータを設定する。
【００５８】
続いて、図７のフローチャートを参照して、本実施形態の電子内視鏡システム１０’の使用条件設定方法について説明する。電子内視鏡１００がプリンタ３００とモニタ４００の識別情報を収集する処理は、第１実施形態で説明した図４のフローチャートと同じであるため、その説明を省略する。
【００５９】
図７のフローチャートは、第１実施形態で説明した図５のフローチャートに対応している。図７のフローチャートは、図５のフローチャートにおいて、ステップＳ１２の処理に代えて、ステップＳ１２’とステップＳ１２”の処理を設けたものである。その他の処理ステップは図５のフローチャートによるものと同じであるためその説明を省略する。
【００６０】
ステップＳ１２’では、電子内視鏡１００からプロセッサ２００に、プリンタ３００とモニタ４００から収集した識別情報が伝送される。ステップＳ１２”では、プロセッサ２００のパラメータ抽出部２９０が、内視鏡１００から伝送されてきたプリンタ３００とモニタ４００の識別情報に対応する画像出力用パラメータをパラメータ記憶部２８０から抽出する。
【００６１】
このように、本実施形態の電子内視鏡システム（１０、１０’）は、複数の周辺機器（３００、４００）がそれぞれ、自身の識別情報を送信する無線送信部（３１０、４１０）を備えている。また電子内視鏡（１００）が、無線送信部（３１０、４１０）が送信した周辺機器（３００、４００）の識別情報を受信する無線受信部（１２０）を備えている。そしてプロセッサ（２００）が、電子内視鏡（１００）の無線受信部（１２０）が受信した周辺機器（３００、４００）の識別情報に応じて、接続された周辺機器（３００、４００）に対して、プロセッサ（２００）からの撮影画像に基づいてその実画像を出力するための画像出力用パラメータを設定する。これにより、短時間の簡単な操作により、プロセッサ（２００）に選択接続されている周辺機器（３００、４００）に応じて、周辺機器（３００、４００）が実画像を出力するための画像出力用パラメータを最適設定することができる。
【００６２】
以上の実施形態では、周辺機器としてプリンタ３００とモニタ４００を用いた場合を例示して説明したが、周辺機器は、プロセッサ２００に対して選択接続可能であり且つプロセッサ２００からの撮影画像に基づいてその実画像を出力できる限りにおいて、これに限定されるものではない。例えば、周辺機器として、実画像を保存してこれを出力するメモリを用いることができる。
【００６３】
以上の実施形態では、異なる機種の複数のプリンタ群として、Ａ社製のプリンタ、Ｂ社製のプリンタ、Ｃ社製のプリンタを例示して、これらプリンタ群のうちのいずれか１つをプロセッサ２００に対して選択接続可能としている。しかし、異なる機種の複数のプリンタ群の数は３つに限定されず、２つ又は４つ以上であってもよい。また、異なる機種の複数のプリンタ群のうちの２つ以上をプロセッサ２００に対して選択接続可能としてもよい。
【００６４】
以上の実施形態では、異なる機種の複数のモニタ群として、Ｘ社製のモニタ、Ｙ社製のモニタ、Ｚ社製のモニタを例示して、これらモニタ群のうちのいずれか１つをプロセッサ２００に対して選択接続可能としている。しかし、異なる機種の複数のモニタ群の数は３つに限定されず、２つ又は４つ以上であってもよい。また、異なる機種の複数のモニタ群のうちの２つ以上をプロセッサ２００に対して選択接続可能としてもよい。
【００６５】
以上の実施形態では、電子内視鏡１００とプロセッサ２００をユニバーサルチューブ１０７とコネクタ端子１０８ａ、２００ａを介して物理的に接続した電子内視鏡システム１０、１０’を例示して説明した。しかし、自身の内部に光源を有する携帯型の電子内視鏡を用いることで、電子内視鏡とプロセッサの物理的な接続を不要とした電子内視鏡システムに対しても、本発明は同様に適用が可能である。
【符号の説明】
【００６６】
１０  １０’電子内視鏡システム
１００  電子内視鏡
１０１  把持操作部
１０２  挿入部
１０３  先端硬性部
１０４  湾曲部
１０５  可撓部
１０６  湾曲操作レバー
１０７  ユニバーサルチューブ
１０８  コネクタ部
１０８ａ  コネクタ端子
１０９  ライトガイドスリーブ
１１０  撮像素子（ＣＣＤ）
１１１  駆動回路
１２０  ＲＦＩＤ受信機（無線受信部）
１３０  パラメータ記憶部
１４０  パラメータ抽出部
２００  プロセッサ
２００ａ  コネクタ端子
２１０  システム電源
２２０  ランプ電源
２３０  光源ランプ
２４０  患者電源
２５０  患者回路
２６０  パラメータ設定部
２７０  画像処理部
２８０  パラメータ記憶部
２９０  パラメータ抽出部
３００  プリンタ（周辺機器）
３１０  ＲＦＩＤ送信機（無線送信部）
３２０  印刷部
４００  モニタ（周辺機器）
４１０  ＲＦＩＤ送信機（無線送信部）
４２０  表示部
【図１】
2015037477.tif 000003
【図２】
2015037477.tif 000004
【図３】
2015037477.tif 000005
【図４】
2015037477.tif 000006
【図５】
2015037477.tif 000007
【図６】
2015037477.tif 000008
【図７】
2015037477.tif 000009